(57)【要約】【課題】通信ネットワークを使って、患者の生体情報を遠隔で医師が閲覧し、患者に対してアドバイスを伝え、効果のある健康管理支援システムを提供することを目的とする。【解決手段】医師用端末装置１の表示手段６で患者の生体情報を表示し、メッセージ作成手段７により医師は患者に対するメッセージを作成する。メッセージ作成手段は、雛形メッセージ保存手段２２に蓄えられた複数の雛形メッセージより、雛形メッセージ選択手段２４により一つが選択されることで、メッセージを作成する。また雛形メッセージ登録手段８により新規の雛形メッセージを登録する。そして作成されたメッセージは通信ネットワークを介して患者用端末装置２に転送され、患者はそのメッセージを閲覧できる。したがって、患者は病院等へ行くことなく医師の適切な指導を受けることができる。【選択図】　図１
2004139225.tif 000002
【特許請求の範囲】
【請求項１】
通信ネットワークを介して接続された医師用端末装置と患者用端末装置を備えた健康管理支援システムであって、前記患者用端末装置は患者の生体情報を入力する生体情報入力手段と、医師からのメッセージを表示する表示手段とを有し、前記医師用端末装置は前記患者からの生体情報を表示する表示手段と、患者へのメッセージを作成するメッセージ作成手段と、雛形メッセージ登録手段とを有し、前記メッセージ作成手段は複数の雛形メッセージを保存する雛形メッセージ保存手段と、前記複数の雛形メッセージから一つを選択する雛形メッセージ選択手段を有し、前記雛形メッセージ登録手段は前記雛形メッセージ保存手段に新規の雛形メッセージを保存する健康管理支援システム。
【請求項２】
メッセージ作成手段は雛形メッセージ選択手段により選択された雛形メッセージを編集する雛形メッセージ編集手段を有する請求項１記載の健康管理支援システム。
【請求項３】
メッセージ作成手段は複数の雛形メッセージを分類するための分類項目を保存する分類項目保存手段と、複数の雛形メッセージを前記各分類項目へ関連付けるための関連付け手段を有し、雛形メッセージ選択手段は前記分類項目を選択する分類項目選択手段を有し、雛形メッセージ登録手段は新規の雛形メッセージを前記分類項目に関連付ける分類項目選択手段を有する請求項１記載の健康管理支援システム。
【請求項４】
雛形メッセージ登録手段は新規の分類項目を登録する分類項目登録手段を更に有する請求項３記載の健康管理支援システム。
【請求項５】
分類項目は患者用端末装置で入力する生体情報の項目を有することを特徴とする請求項３記載の健康管理支援システム。
【請求項６】
通信ネットワークを介して接続されたデータベースサーバ装置を有し、前記データベースサーバ装置は患者用端末装置から生体情報を受信して格納する生体情報格納手段と、医師用端末装置からメッセージを受信して格納するメッセージ格納手段を有する請求項１記載の健康管理支援システム。
【請求項７】
データベースサーバ装置は、医師用端末装置でメッセージ作成手段として動作するスクリプトおよび雛形メッセージを格納するメッセージ作成ツール格納手段を有し、医師用端末装置は前記データベースサーバ装置よりメッセージ作成スクリプトおよび雛形メッセージを受信する請求項６記載の健康管理支援システム。
【請求項８】
データベースサーバ装置は、医師用端末装置で雛形メッセージ登録手段として動作するスクリプトを格納する雛形メッセージ登録ツール格納手段を有し、医師用端末装置は前記データベースサーバ装置より雛形メッセージ登録スクリプトを受信する請求項６記載の健康管理支援システム。
【請求項９】
医師用端末装置は雛形メッセージ登録手段により登録された新規の雛形メッセージをデータベースサーバ装置に送信する請求項７記載の健康管理支援システム。
【請求項１０】
生体情報入力手段は生体情報測定器を有し、測定した生体情報を有線または無線の通信により入力する請求項１記載の健康管理支援システム。
【発明の詳細な説明】
【０００１】
【発明の属する技術分野】
本発明は、医師用端末装置、患者用端末装置を通信ネットワークを介して接続して構成し、患者の生体情報を医師用端末装置で閲覧した医師が、患者に対してアドバイスメッセージを作成し、患者用端末装置でそのアドバイスメッセージを閲覧するシステムに関するものである。
【０００２】
【従来の技術】
従来より、医師は体温や血圧、血糖などの患者の生体情報を基に判断し、患者に対して投薬などの治療行為を行ったり、生活改善を促すなどしていた。近年、高血圧症、糖尿病、肥満などの生活習慣病患者の増加が問題となっていて、これら生活習慣病は、初期段階では多くの場合、日常の生活習慣を改善することで良化できる。
【０００３】
また、従来は医師が患者と直接対面することにより診療を行ってきたのに対し、通信技術の発達により離れた場所にいる患者を通信回線経由で診療するシステムが実用化されつつある。即ち、患者は在宅で自分の生体情報を測定し、その測定結果をパソコン等を用いて通信回線経由で医師に送信し、一方、医師は送信されてきた患者の生体情報を閲覧して、患者に対するアドバイスメッセージを作成し、電子メール等の手段で患者に送信し、患者は医師から送信されてきたアドバイスメッセージを閲覧することでその指示に従い、生活習慣を改善するというものである（例えば、特許文献１参照）。
【０００４】
特に、高血圧症、糖尿病、肥満などの生活習慣病は、投薬などの治療行為よりも生活習慣を医師の指導の下、適切に改善することが重要な症例に対しては、上記のような通信回線を利用した遠隔での診療システムは効率が良く効果が大きい。
【０００５】
【特許文献１】
特開平９−１６０６４号公報
【０００６】
【発明が解決しようとする課題】
しかしながら、これらの従来技術のシステムにおいては、医師が一人一人の患者に対してそれぞれアドバイスメッセージを作成しなければならず、医師の負担が大きい。
【０００７】
遠隔での診療システムは患者が病院等へ行かず在宅でも診療を受けることができ効率が上がるものの、医師にとっては、患者の生体情報を閲覧して患者に対しアドバイスメッセージをワープロソフト等で入力していたのでは、効率が上がることにならない。むしろ直接対面して口頭で患者にアドバイスすることより効率を下げることにもなる。その結果、生体情報が警戒レベルを超えたような危険なときにだけアドバイスを作成するようなこととなり、警戒レベルを超えない患者は全くアドバイスを受け取らないこともあり、日常的な生活指導は困難であった。
【０００８】
本発明の目的は、上記の問題点を解決し、通信ネットワークを使って、患者にとっても医師にとっても効率があがり、効果のある健康管理支援システムを提供することにある。
【０００９】
【課題を解決するための手段】
前記従来の課題を解決するために、医師用端末装置は患者へのメッセージを作成するメッセージ作成手段と、雛形メッセージ登録手段とを有し、前記メッセージ作成手段は複数の雛形メッセージを保存する雛形メッセージ保存手段と、前記複数の雛形メッセージから一つを選択する雛形メッセージ選択手段を有し、前記雛形メッセージ登録手段は前記雛形メッセージ保存手段に新規の雛形メッセージを保存する構成としたものである。
【００１０】
これによって、医師は雛形メッセージ保存手段に保存された複数の雛形メッセージの中から雛形メッセージ選択手段により一つを選択することでメッセージを作成することができ、また雛形メッセージ登録手段により雛形メッセージ保存手段に新規の雛形メッセージを保存でき、患者にとっても医師にとっても効率が上がり効果のある健康管理支援システムを提供することができる。
【００１１】
【発明の実施の形態】
請求項１に記載の発明は、通信ネットワークを介して接続された医師用端末装置と患者用端末装置を備えた健康管理支援システムであって、前記患者用端末装置は患者の生体情報を入力する生体情報入力手段と、医師からのメッセージを表示する表示手段とを有し、前記医師用端末装置は前記患者からの生体情報を表示する表示手段と、患者へのメッセージを作成するメッセージ作成手段と、雛形メッセージ登録手段とを有し、前記メッセージ作成手段は複数の雛形メッセージを保存する雛形メッセージ保存手段と、前記複数の雛形メッセージから一つを選択する雛形メッセージ選択手段を有し、前記雛形メッセージ登録手段は前記雛形メッセージ保存手段に新規の雛形メッセージを保存する構成としたものである。
【００１２】
これによって、患者用端末装置は生体情報入力手段により患者から生体情報を受け、通信ネットワークを介して医師用端末装置に転送されて、医師用端末装置の表示手段で患者の生体情報を表示する。そして医師用端末装置のメッセージ作成手段により医師は患者に対するメッセージを作成する。メッセージ作成手段は、雛形メッセージ保存手段に蓄えられた複数の雛形メッセージより、雛形メッセージ選択手段により一つが選択されることで、メッセージを作成する。そして作成されたメッセージは通信ネットワークを介して患者用端末装置に転送され、患者用端末装置の表示手段に表示され、患者はそのメッセージを閲覧できる。また医師は雛形メッセージ登録手段により雛形メッセージ保存手段に新規の雛形メッセージを保存し、雛形メッセージ保存手段には複数の雛形メッセージを蓄えることができる。したがって、医師は複数の雛形メッセージから一つを選択するだけの作業でメッセージを作成でき、医師の効率を上げることができる。
【００１３】
請求項２に記載の発明は、特に請求項１に記載のメッセージ作成手段は雛形メッセージ選択手段により選択された雛形メッセージを編集する雛形メッセージ編集手段を有する有する構成とすることにより、雛形メッセージ選択手段で選択された一つの雛形メッセージを、雛形メッセージ編集手段により追加や修正などの編集を行ってメッセージを作成するので、特定の患者に対しての特有のメッセージを付加したり、一部修正するなどできて、医師の効率が上がることに加え、患者に対して人間味のあるメッセージを作成できる。
【００１４】
請求項３に記載の発明は、特に請求項１に記載のメッセージ作成手段は複数の雛形メッセージを分類するための分類項目を保存する分類項目保存手段と、複数の雛形メッセージを前記各分類項目へ関連付けるための関連付け手段を有し、雛形メッセージ選択手段は前記分類項目を選択する分類項目選択手段を有し、雛形メッセージ登録手段は新規の雛形メッセージを前記分類項目に関連付ける分類項目選択手段を有するを有する構成としたものである。
【００１５】
これによって、関連付け手段により複数の雛形メッセージはそれぞれ分類項目保存手段に保存されている分類項目と関連付けられていて、雛形メッセージを選択するには、まず分類項目選択手段で分類項目を選択し、その分類項目に関連付けられた雛形メッセージの中から一つを選択するので、所望の雛形メッセージを選択することが更に容易に、分かり易くなり、医師の効率を更に上げることができる。また雛形メッセージ登録手段により新規の雛形メッセージも分類項目選択手段により分類項目に関連付けて保存することができ、使い勝手が向上する。
【００１６】
請求項４に記載の発明は、特に請求項３に記載の雛形メッセージ登録手段は新規の分類項目を登録する分類項目登録手段を更に有する構成としているので、新規の雛形メッセージに適した分類項目がない場合には、分類項目登録手段で新規の分類項目を登録でき、適切な項目に分類でき、所望の雛形メッセージを適切に選択することが可能になり、医師の効率を更に上げることができる。
【００１７】
請求項５に記載の発明は、特に請求項３に記載の分類項目は患者用端末装置で入力する生体情報の項目を有することを特徴とすることにより、患者用端末装置で入力する各生体情報が分類項目となって、複数の各雛形メッセージは生体情報の項目に関連付けられているので、所望の雛形メッセージを選択することが更に容易に、また分かり易くなり、医師の効率を更に上げることができる。
【００１８】
請求項６に記載の発明は、特に請求項１に記載の健康管理支援システムは通信ネットワークを介して接続されたデータベースサーバ装置を有し、前記データベースサーバ装置は患者用端末装置から生体情報を受信して格納する生体情報格納手段と、医師用端末装置からメッセージを受信して格納するメッセージ格納手段を有する構成としたものであり、これによって患者用端末装置で入力された生体情報はデータベースサーバ装置の生体情報格納手段に格納され、医師用端末装置で作成されたメッセージはデータベースサーバ装置のメッセージ格納手段に格納され、医師用端末装置はデータベースサーバ装置から患者の生体情報を受信して表示、患者用端末装置はデータベースサーバ装置からメッセージを受信して表示するので、複数の患者用端末装置、複数の医師用端末装置を一つのシステム内に配設できて、一人の患者に対し複数の医師が複数の医師用端末装置からメッセージを作成することができて、医師の効率を更に上げることができる。
【００１９】
請求項７に記載の発明は、特に請求項６に記載のデータベースサーバ装置は、医師用端末装置でメッセージ作成手段として動作するスクリプトおよび雛形メッセージを格納するメッセージ作成ツール格納手段を有し、医師用端末装置は前記データベースサーバ装置よりメッセージ作成スクリプトおよび雛形メッセージを受信する構成としたものであり、これによって、医師用端末装置はデータベースサーバ装置からメッセージ作成ツール格納手段に格納されているメッセージ作成スクリプトおよび雛形メッセージを受信し、受信したメッセージ作成スクリプトを実行することでメッセージ作成手段として機能するので、医師用端末装置は予めメッセージ作成手段を備えた専用装置でなく、パーソナルコンピュータのような汎用的な装置を医師用端末装置として使ってもメッセージを作成でき、汎用性を高めることができる。
【００２０】
請求項８に記載の発明は、特に請求項６に記載のデータベースサーバ装置は、医師用端末装置で雛形メッセージ登録手段として動作するスクリプトを格納する雛形メッセージ登録ツール格納手段を有し、医師用端末装置は前記データベースサーバ装置より雛形メッセージ登録スクリプトを受信する構成としたものであり、これによって、医師用端末装置はデータベースサーバ装置から雛形メッセージ登録ツール格納手段に格納されている雛形メッセージ登録スクリプトを実行することで雛形メッセージ登録手段として機能するので、医師用端末装置は予め雛形メッセージ登録手段を備えた専用装置でなく、パーソナルコンピュータのような汎用的な装置を医師用端末装置として使っても新規の雛形メッセージの登録が可能であり、汎用性を高めることができる。
【００２１】
請求項９に記載の発明は、特に請求項７に記載の医師用端末装置は雛形メッセージ登録手段により登録された新規の雛形メッセージをデータベースサーバ装置に送信する構成としたものであり、これによって１台の医師用端末装置の雛形メッセージ登録手段より登録された新規の雛形メッセージがデータベース装置に送信され、複数の医師用端末装置で雛形メッセージとして受信できるので、特定の医師の持つメッセージ作成ノウハウを複数の医師で共有化でき、更に医師の効率を上げることができる。
【００２２】
請求項１０に記載の発明は、特に請求項１に記載の生体情報入力手段は生体情報測定器を有し、測定した生体情報を有線または無線の通信により入力する構成としたことにより、生体情報測定器で測定した生体情報は有線または無線の通信により自動的に患者用端末装置に入力されるので、患者の手間が省け使い勝手が向上するとともに、誤った入力がなくなり、入力された生体情報の信頼性が高まり、医師は正しい生活指導をできる効果がある。
【００２３】
【実施例】
以下本発明の実施例について、図面を参照しながら説明する。図１は本発明の実施例を説明する健康管理支援システムの構成を示すブロック図である。図１において医師用端末装置１と、患者用端末装置２と、データベースサーバ装置３とが、例えばＬＡＮ、公衆電話網、インターネットなどの通信ネットワーク４を介して接続されている。ここで医師用端末装置１、患者用端末装置は同様に構成された複数の装置が接続されているが、便宜上各１台が接続された構成で説明する。
【００２４】
医師用端末装置１は例えば通信機能を有するパーソナルコンピュータにてなり、患者の生体情報の表示、患者に対するメッセージの作成を含む処理を実行する。また患者用端末装置２は例えば通信機能を有するパーソナルコンピュータにてなり、患者の生体情報の入力、医師から送られるメッセージの表示などの処理を実行する。さらにデータベースサーバ装置３は例えば通信機能を有するコンピュータにてなり、医師用端末装置１、患者用端末装置２との間で、患者の生体情報、医師から患者に送られるメッセージなどを送受信し格納する。またデータベースサーバ装置３は、医師用端末装置２にてメッセージ作成手段として実行されるメッセージ作成のためのスクリプトプログラムや雛形メッセージなどのデータを格納している。
【００２５】
そして医師用端末装置１は、キーボードやマウスなどからなる入力手段５、液晶ディスプレイなどの表示手段６、患者に対するメッセージを作成するためのスクリプトや雛形メッセージなどのデータなどからなるメッセージ作成手段７、新規の雛形メッセージを登録するための雛形メッセージ登録手段８、通信ネットワーク４を介してデータベースサーバ装置３とデータを送受信するための通信手段９、送受信データや入力データを格納するメモリ１０と、それらを制御する制御手段１１を含む構成としている。
【００２６】
患者用端末装置２は、血圧や体重、血糖値などの生体情報を入力するための生体情報入力手段１２、液晶ディスプレイなどの表示手段１３、通信ネットワーク４を介してデータベースサーバ装置３とデータを送受信するための通信手段１４と、送受信データや入力データを格納するメモリ１５と、それらを制御する制御手段１６を含み、生体情報入力手段１２はマウスやキーボードの他に、血圧計、体温計、血糖計などの生体情報測定器１７を含み、生体情報測定器１７からは光信号などの無線通信または、電圧信号などの有線通信で測定値を自動的に入力できる。
【００２７】
データベースサーバ装置３は、医師用端末装置１や患者用端末装置２から送信されてきたデータを受信して格納し、また医師用棚末装置１や患者用端末装置２にデータを送信する。そして、患者用端末装置２から送信されてくる生体情報を格納するための生体情報格納手段１８、医師用端末装置１から送信されてくるメッセージを格納するためのメッセージ格納手段１９、医師用端末装置１に送信するためのメッセージ作成手段７を格納するメッセージ作成ツール格納手段２０、医師用端末装置１に送信するための雛形メッセージ登録手段８を格納する雛形メッセージ登録ツール格納手段２１、通信ネットワーク４を介して医師用端末装置１や患者用端末装置２とデータを送受信するための通信手段２２と、それらを制御する制御手段２３を含む。ここでメッセージ作成ツール格納手段２０に格納されているメッセージ作成手段７は、医師用端末装置１に送信して、医師用端末装置１で実行されるスクリプトや雛形メッセージなどのデータであり、前記した医師用端末装置１のメッセージ作成手段７と同様のものである。また、雛形メッセージ登録ツール格納手段２１に格納されている雛形登録手段８は、医師用端末装置１に送信して、医師用端末装置１で実行されるスクリプトであり、前記した医師用端末装置１の雛形メッセージ登録手段８と同様のものである。図１では、データベースサーバ装置３からメッセージ作成手段７、雛形メッセージ登録手段８を医師用端末装置１に送信した後、医師用端末装置１にもメッセージ作成手段７、雛形メッセージ登録手段８が存するものとして構成を説明している。
【００２８】
図２によりメッセージ作成手段７の内部構成を説明する。メッセージ作成手段７は雛形メッセージを保存している雛形メッセージ保存手段２４、分類項目を保存する分類項目保存手段２５のデータ類と、分類項目選択手段２６、関連付け手段２７、雛形メッセージ抽出手段２８、雛形メッセージ選択手段２９、雛形メッセージ編集手段３０のスクリプト類を含む構成である。
【００２９】
この構成において、分類項目保存手段２５には患者用端末装置１の生体情報入力手段１２により入力される生体情報である血圧、体重、血糖などの項目が登録されている。また雛形メッセージ保存手段２４には雛形メッセージの項目と内容がセットで登録されている。そして関連付け手段２７により雛形メッセージ保存手段に登録されている各雛形メッセージと分類項目保存手段２５に登録されている分類項目とを関連付けている。
【００３０】
そして、分類項目選択手段２６により、医師は分類項目保存手段２５に登録されている分類項目のいずれかを選択すると、選択された分類項目の情報は関連付け手段２７に送られる。そして雛形メッセージ抽出手段２８は選択された分類項目に該当する雛形メッセージ全てを抽出する。更に、雛形メッセージ選択手段２９により、医師は抽出された雛形メッセージの中から一つの雛形メッセージを選択し、雛形メッセージ編集手段３０により、選択した雛形メッセージを基に追加、修正などの作業を行い、患者に送信するメッセージを完成させる。
【００３１】
図３により雛形メッセージ登録手段８の内部構成を、メッセージ作成手段７との関係を含めて説明する。雛形メッセージ登録手段８は新規メッセージ作成手段３１、分類項目選択手段３２、分類項目登録手段３３のスクリプト類を含む構成である。そして、新規メッセージ作成手段３１で作成された新規の雛形メッセージは雛形メッセージ保存手段２４に保存される。またこの新規の雛形メッセージの分類は分類項目選択手段３２で選択され、関連付け手段２７で新規に登録された雛形メッセージとの関連付けられる。また分類項目登録手段３３では新規の分類項目を登録し、分類項目保存手段２５に保存する。新規の雛形メッセージに対応する分類項目がない場合には分類項目登録手段３３で対応する分類項目を新規に登録し、分類項目選択手段３２で登録した分類項目を選択することで、関連付け手段２７で新規に登録された雛形メッセージと新規に登録された分類項目が関連付けられる。
【００３２】
以上のように構成されたシステムにおいて、医師用端末装置１と、データベースサーバ装置３との間で信号やデータの送受信が行われる。これらの信号やデータの通信においては、これらの信号やデータを送信側で暗号化する一方、受信側で暗号解読するようにしてもよい。
【００３３】
図４は、医師用端末装置１の制御手段１０によって実行される医師用端末処理を示すフローチャートである。この医師用端末処理において、入力とは医師によりキーボードやマウスよりなる入力手段５を用いたデータ又は数値の入力である。また表示とは液晶ディスプレイなどの表示手段６に表示することである。
【００３４】
図４のステップＳ１において、まず医師コードおよびパスワードを入力し、ステップＳ２において認証はＯＫであるか否かが判断され、すなわち入力された医師コードおよびパスワードのデータが、予め入力されて登録された認証データと一致するか否かが判断され、ＮＯのときはステップＳ１に戻る一方、ＹＥＳのときはステップＳ３に進む。ステップＳ３以下においては以下の選択肢を有する図９のメニュー画面を表示し、操作者である医師はこれらの選択肢から１つを選択することにより処理を選択する。
【００３５】
（ａ）生体情報の閲覧
（ｂ）メッセージ作成
（ｃ）雛形メッセージ登録
（ｄ）処理終了
まず、ステップＳ３において生体情報閲覧が選択されたか否かが判断され、ＹＥＳのときはステップＳ４に進み、生体情報閲覧処理を実行した後ステップＳ５に進む一方、ステップＳ３でＮＯのときはそのままステップＳ５に進む。次いでステップＳ５においてメッセージ作成が選択されたか否かが判断され、ＹＥＳのときはステップＳ６に進み、メッセージ作成処理を実行した後ステップＳ７に進む一方、ステップＳ５でＮＯのときはそのままステップＳ７に進む。次いでステップＳ７において雛形メッセージ登録が選択されたか否かが判断され、ＹＥＳのときはステップＳ８に進み、雛形メッセージ登録処理を実行した後ステップＳ９に進む一方、ステップＳ７でＮＯのときはそのままステップＳ９に進む。さらにステップＳ７において終了処理が選択されたか否かが判断され、ＮＯのときはステップＳ３に戻る一方、ＹＥＳのときは当該医師用端末処理を終了する。
【００３６】
図５は、図４のサブルーチンである患者の生体情報閲覧処理（ステップＳ４）を示すフローチャートであり、医師用端末装置１とデータベースサーバ装置３とのデータの送受信を含めて説明する。
【００３７】
図５において、医師用端末装置１は、ステップＳ１１でまず例えば図１０に示すような画面を表示する。ここではまだ患者が選択されていないので、患者選択のために図１０に示す上部だけが表示される。そして、ステップＳ１２で医師は患者を選択する。ステップＳ１３において、医師用端末装置１はデータベースサーバ装置３に選択された患者に関連付けられている患者コードを送信する。一方、データベースサーバ装置３はステップＳ１４で患者コードを受信し、ステップＳ１５で受信した患者コードの患者の生体情報を生体情報格納手段１８より抽出し、ステップＳ１６で抽出した生体情報を医師用端末装置１に送信する。
【００３８】
医師用端末装置１はステップＳ１７で生体情報を受信しメモリ８に一時的に格納し、ステップＳ１８で画面に表示する。表示は例えば図１０の画面下部のような日付と生体情報の表として表示する。そしてステップＳ１９において、処理終了が選択されると処理を終了する一方、選択されなければステップＳ１１に戻って処理を繰り返す。
【００３９】
図６は、図４のサブルーチンであるメッセージ作成処理（ステップＳ６）を示すフローチャートであり、医師用端末装置１とデータベースサーバ装置３とのデータの送受信を含めて説明する。
【００４０】
図６において、医師用端末装置１は、ステップＳ２２でまずデータベースサーバ装置３にメッセージ作成手段７の要求信号を送信する。一方、データベースサーバ装置３はステップＳ２３でメッセージ作成手段要求信号を受信すると、ステップＳ２４で医師用端末装置１にメッセージ作成手段７を送信する。そして医師用端末装置１はステップＳ２５でメッセージ作成手段７を受信する。この処理を毎回行うのはメッセージ作成手段７にある雛形メッセージ保存手段２４、分類項目保存手段２５、関連付け手段２７を常に最新のものを受信するためである。
【００４１】
次に医師用端末装置１はステップＳ２６で例えば図１１に示すようなメッセージ作成画面を表示する。そして、ステップＳ２７で医師は患者名を選択し、ステップＳ２８で医師は分類項目を選択する。ここで分類項目は血圧や体重、血糖など生体情報の測定項目を含んでいる。そして、医師用端末装置１はステップＳ２９で選択された分類項目に関連付けられている雛形メッセージを一覧表示し、ステップＳ３０で、医師はそれら一覧表示された雛形メッセージの中から適当な雛形メッセージを一つ選択する。
【００４２】
医師用端末装置１はステップＳ３１で選択された雛形メッセージを編集画面に表示し、医師はステップＳ３２で雛形メッセージを基に追加や修正などの編集を行う。ステップＳ３３で送信ボタンを押されたかどうかを判断し、ＹＥＳであればステップＳ３４に進む一方、ＮＯであればステップＳ３７にジャンプする。ステップＳ３４では患者コードと編集されたメッセージをデータベースサーバ装置３に送信する。一方、データベースサーバ装置３はステップＳ３５で患者コードとメッセージを受信し、ステップＳ３６で受信したメッセージをメッセージ格納手段１９に格納する。また医師用端末装置１はステップＳ３７で処理終了が選択されたかどうかを判断し、ＹＥＳであれば、処理を終了する一方、ＮＯであればステップＳ２７に戻って処理を繰り返す。
【００４３】
図７は、図４のサブルーチンである雛形メッセージ登録処理（ステップＳ８）を示すフローチャートであり、医師用端末装置１とデータベースサーバ装置３とのデータの送受信を含めて説明する。
【００４４】
図７において、医師用端末装置１は、ステップＳ４２でまずデータベースサーバ装置３に雛形メッセージ登録手段８、メッセージ作成手段７の要求信号を送信する。一方、データベースサーバ装置３はステップＳ４３で雛形メッセージ登録手段要求信号を受信すると、ステップＳ４４で医師用端末装置１に雛形メッセージ登録手段８、メッセージ作成手段７を送信する。そして医師用端末装置１はステップＳ４５で雛形メッセージ登録手段８、メッセージ作成手段７を受信する。ここでメッセージ作成手段７を受信するのは、新規の雛形メッセージを登録するために、メッセージ作成手段７の中にある雛形メッセージ保存手段２４、分類項目保存手段２５、関連付け手段２７を使うためである。
【００４５】
次に医師用端末装置１はステップＳ４６で例えば図１２に示すような雛形メッセージ登録画面を表示する。そして、医師は新規に登録しようとする雛形メッセージの分類を選択するのであるが、登録済みの中にに適切な分類項目がなければ新規の分類項目を登録することになる。ステップＳ４７で医師により新規の分類項目が登録されたか否かを判断し、ＹＥＳのときはステップＳ４８に進む一方、ＮＯのときはステップＳ４９にジャンプする。ステップＳ４８では医師により登録された新規の分類項目を分類項目保存手段２５に保存して、ステップＳ４９に進む。
【００４６】
ステップＳ４９において医師は新規に登録しようとする雛形メッセージの分類項目を選択する。更にステップＳ５０において医師は新規の雛形メッセージを作成する。ステップＳ５１で、医師により登録ボタンが押されたか否かを判断し、ＹＥＳのときはステップＳ５２に進む一方、ＮＯのときはステップＳ５４にジャンプする。ステップＳ５２では雛形メッセージ保存手段２４に新規の雛形メッセージを保存する。そしてステップＳ５３では登録された新規の雛形メッセージを該当する分類項目に関連付けるよう関連付け手段２７を更新する。
【００４７】
そして、ステップＳ５４で処理終了が選択されたかどうかを判断し、ＹＥＳであれば、ステップＳ５５に進む一方、ＮＯであればステップＳ４７に戻って処理を繰り返す。ステップＳ５５では分類項目保存手段２５、雛形メッセージ保存手段２４、関連付け手段２７をデータベースサーバ装置３に送信して、医師用端末装置１の処理を終了する。一方、データベースサーバ装置３はステップＳ５６で医師用端末装置１から分類項目保存手段２５、雛形メッセージ保存手段２４、関連付け手段２７を受信し、ステップＳ５７でそれぞれを更新して処理を終了する。
【００４８】
図８は患者用端末装置２によって実行される患者用端末処理を示すフローチャートであり、データベースサーバ装置３との送受信を含めて示している。この患者用端末処理において、表示とは液晶ディスプレイなどの表示手段１３に出力して表示することをいう。
【００４９】
図８のステップＳ６１において、患者はまず患者用端末装置２で患者コードとパスワードを入力し、患者用端末装置２はステップＳ６２において入力された患者コードとパスワードが予め登録されている認証データと一致しているかどうか、即ち認証はＯＫかどうかが判断され、ＹＥＳのときはステップＳ６３に進む一方、ＮＯのときはステップＳ６１に戻る。ステップＳ６３において、データベースサーバ装置３にメッセージの要求信号を送信する。一方、データベースサーバ装置３はステップＳ６４でメッセージ要求信号を受信すると、ステップＳ６５においてメッセージ格納手段１９に格納されているメッセージのうち該当患者に対するメッセージを患者用端末装置２に送信する。患者用端末装置２はステップＳ６６でデータベースサーバ装置３からメッセージを受信し、ステップＳ６７で例えば図１３に示すような患者端末処理用画面を表示する。
【００５０】
更に、患者用端末装置２はステップＳ６８にて生体情報入力を選択されたかどうかが判断され、ＹＥＳのときはステップＳ６９で患者は生体情報の入力を行う。生体情報の入力は図示しない別画面で行うものであり、通信可能な生体情報測定器であれば自動で測定結果を患者用端末装置２が受信し、そうでなければマウスやキーボードなどの入力手段を使って入力する。そしてステップＳ７０でデータベースサーバ装置３に測定した生体情報を送信する。一方、データベースサーバ装置３はステップＳ７１で生体情報を受信し、ステップＳ７２で受信した生体情報を生体情報格納手段１８に格納する。患者用端末装置２はステップＳ７３で処理終了が選択されたかどうかを判断し、ＹＥＳのときは処理を終了し、ＮＯであればステップＳ６８にジャンプして処理を繰り返す。
【００５１】
次に医師用端末装置１の画面例について説明する。図９は医師用端末装置１のメニュー画面の例である。医師用端末装置１には「生体情報の閲覧」、「メッセージ作成」、「雛形メッセージの登録」、「処理終了」の各メニューがあり、その項目が表示されていて、それぞれの項目に対応したボタン３４、３５、３６、３７が表示されている。このいずれかのボタンをマウス等の入力手段５でクリックすることにより選択された処理に移行するものである。
【００５２】
図１０は医師用端末装置１の患者の生体情報の閲覧の画面例である。図１０において、３８は患者名選択欄で、登録されているすべての患者が表示されている。医師はその中から生体情報を閲覧すべき患者を選択する。３９は患者名選択ボタンであり、医師は患者名選択欄３８で患者名を選択し、患者名選択ボタン３９をマウスなどの入力手段５でクリックすることで選択した患者名が確定する。４０は生体情報表示欄であり、患者名選択欄３８で医師により選択された患者の生体情報が、登録された日付とともに一覧表示される。４１は処理終了ボタンであり、このボタンをクリックすることで生体情報閲覧の処理を終了する。
【００５３】
図１１は医師用端末装置１のメッセージ作成画面の例である。図１１において、４２は患者名選択欄であり、登録されているすべての患者が表示されている。医師はその中からメッセージを送るべき患者を選択する。４３は分類項目選択欄であり、登録されている分類項目が一覧表示される。ここで登録されている分類項目には患者用端末装置２で測定される生体情報の項目の一部または全てが含まれている。医師はこれら分類項目の中から作成すべきメッセージに関連の強い項目を選択する。４４はメッセージ選択欄で、分類項目選択欄４３で項目を選択されると、その選択された分類項目に関連付けられて登録されているメッセージがタイトルと内容をセットにして一覧表示される。
【００５４】
図１１においては分類項目選択４３で「血圧」という項目が選択され、メッセージ選択欄４４には血圧に関連したメッセージが一覧表示されている。これら予め登録されているメッセージの中には、例えば「血圧良好ですね」のような警告ではなく、良好であることを称賛するメッセージも含まれている。これは警告されることのないような健全な生体情報を有する患者にもメッセージを送ることができるようにしている。
【００５５】
更に４５はタイトル編集欄、４６はメッセージ編集欄である。メッセージ選択欄４４でメッセージが選択されると、選択されたメッセージのタイトル部分がタイトル編集欄４５に、メッセージの内容がメッセージ編集欄４６に表示される。医師は、タイトル編集欄４５やメッセージ編集欄４６を使って、タイトルやメッセージに追加、修正などの編集を加え、メッセージを作成する。４７は送信ボタンであり、マウス等の入力手段５でクリックすることにより、患者名選択欄４２で選択された患者に、タイトル編集欄４５で編集されたタイトル、メッセージ編集欄４６で編集されたメッセージが、データベースサーバ装置３に送信される。４８は処理終了ボタンであり、このボタンをクリックすることでメッセージ作成の処理を終了する。
【００５６】
図１２は医師用端末装置１の雛形メッセージ登録画面の例である。図１２において、４９は新規分類項目入力欄であり、５０は新規分類項目登録ボタン、５１は分類項目選択欄である。医師は新規に登録しようとする雛形メッセージに対応する分類項目が、既に登録されている分類項目にないときには、新規分類項目入力欄４９にキーボードやマウスなどの入力手段５を使って入力する。そして新規分類項目登録ボタン５０をクリックすることで登録する。また分類項目選択欄５１には新規分類項目として登録された分類項目も含め、分類項目保存手段２５に保存されている分類項目が一覧表示される。医師はこの一覧表示の中から新規に登録しようとする雛形メッセージに対応する分類項目を選択する。
【００５７】
更に５２はタイトル入力欄、５３はメッセージ入力欄である。医師は新規に登録する雛形メッセージのタイトルと内容をタイトル入力欄５２、メッセージ入力欄５３にそれぞれキーボードやマウスなどの入力手段５を使って入力する。５４は雛形メッセージ登録ボタンであり、クリックすることでタイトル入力欄で入力されたタイトル、メッセージ入力欄で入力されたメッセージが分類項目選択欄５１で選択された分類項目に関連付けられて登録される。５５は処理終了ボタンであり、このボタンをクリックすることで雛形メッセージ登録の処理を終了する。
【００５８】
図１３は患者用端末装置２の画面の例である。５６は生体情報選択ボタン群であり、測定項目である血圧、体重、血糖、体温、脈拍などに対応したボタンを備えている。患者はこれらのボタンのいずれかを選択することで、各測定項目に対応した図示しない別画面が起動し、患者は生体情報入力手段１２により生体情報を入力する。生体情報入力手段１２は生体情報測定器１７で測定したデータが通信で自動的に入力するか、または、キーボードやマウス、タッチパネルなどを使って入力する。また５７はメッセージ表示欄であり、医師により作成されデータベースサーバ装置３のメッセージ格納手段１９に格納されている当該患者宛のメッセージを受信して、その全てを時系列に表示している。図に示すように、表示はタイトルと内容の他、送信者である医師の名前と、送信された日付を含めて表示するものである。５８は処理終了ボタンであり、患者用端末処理を終了する。
【００５９】
【発明の効果】
以上のように、請求項１〜１０記載の発明によれば、患者の生体情報を閲覧した医師が患者に対してアドバイスメッセージを容易に作成して、患者に伝えることができ、また、よく使いそうなメッセージを雛形メッセージとして登録することができるので、患者が病院等へ行って直接医師と対面しなくても遠隔で健康管理ができ効率が上がるだけでなく、医師も簡単にアドバイスを伝えることができて、両者にとって効率が上がり、効果のある健康管理支援システムを提供することができる。
【図面の簡単な説明】
【図１】本発明の実施例における健康管理支援システムの構成を示すブロック図
【図２】同実施例におけるメッセージ作成手段の内部構成図
【図３】同実施例における雛形メッセージ登録手段の内部構成図
【図４】同実施例における医師用端末装置で実行される医師用端末処理を示すフローチャート
【図５】同実施例における医師用端末装置で実行される医師用端末処理のサブルーチンである生体情報閲覧処理を示すフローチャート
【図６】同実施例における医師用端末装置で実行される医師用端末処理のサブルーチンであるメッセージ作成処理を示すフローチャート
【図７】同実施例における医師用端末装置で実行される医師用端末処理のサブルーチンである雛形メッセージ登録処理を示すフローチャート
【図８】同実施例における患者用端末装置で実行される患者用端末処理を示すフローチャート
【図９】同実施例における医師用端末装置の画面例であってメニュー画面を示す図
【図１０】同実施例における医師用端末装置の画面例であって生体情報閲覧画面を示す図
【図１１】同実施例における医師用端末装置の画面例であってメッセージ作成画面を示す図
【図１２】同実施例における医師用端末装置の画面例であって雛形メッセージ登録画面を示す図
【図１３】同実施例における患者用端末装置の画面例を示す図
【符号の説明】
１　医師用端末装置
２　患者用端末装置
３　データベースサーバ装置
４　通信ネットワーク
６　（医師用端末装置の）表示手段
７　メッセージ作成手段
８　雛形メッセージ登録手段
１２　生体情報入力手段
１３　（患者用端末装置の）表示手段
１７　生体情報測定器
１８　生体情報格納手段
１９　メッセージ格納手段
２０　メッセージ作成ツール格納手段
２１　雛形メッセージ登録ツール格納手段
２４　雛形メッセージ保存手段
２５　分類項目保存手段
２６　（メッセージ作成手段の）分類項目選択手段
２７　関連付け手段
２９　雛形メッセージ選択手段
３０　雛形メッセージ編集手段
３２　（雛形メッセージ登録手段の）分類項目選択手段
３３　分類項目登録手段
【図１】
2004139225.tif 000003
【図２】
2004139225.tif 000004
【図３】
2004139225.tif 000005
【図４】
2004139225.tif 000006
【図５】
2004139225.tif 000007
【図６】
2004139225.tif 000008
【図７】
2004139225.tif 000009
【図８】
2004139225.tif 000010
【図９】
2004139225.tif 000011
【図１０】
2004139225.tif 000012
【図１１】
2004139225.tif 000013
【図１２】
2004139225.tif 000014
【図１３】
2004139225.tif 000015